(57)【要約】  細胞培養液ボトルなどの貯蔵容器に直接取り付けられる、漏斗のない濾過装置。本装置は、１つまたは複数の膜を含むフィルタカラーと、フィルタ装置を、濾過される液体の供給源に取り付けるための結合装置を伴う流入部と、カラーの下方部分に位置する流出部と、膜（複数の場合もある）の下のカラー内の真空ポートと、膜（複数の場合もある）の上のカラー内の濾過ベントと、を含んでいる。  任意選択的に、本装置は、流出部に、好ましくはネジ接続によって取り付けられた、濾過液貯蔵器を含む場合がある。任意選択的に、フィルタカラーの上方の開口は、使用されるまで、選択的かつ着脱自在に、蓋でシールされる。次いで、蓋が取り除かれ、フィルタ装置が、細胞培養液ボトルなどの貯蔵容器の上で逆さにされ、これら２つが、フィルタカラーの上方開口を介して取り付けられる。アセンブリは次いで、供給容器がフィルタ装置の上になるように逆さにされる。ボトル内のサンプルに真空などの駆動力を加えると、サンプルが濾過要素を通り、フィルタカラーの流出部の下の濾過液貯蔵器内に流れる。
2019530576.tif 000002
【特許請求の範囲】
【請求項１】
真空フィルタ装置であって、互いから配置された下方部分と頂部とを有するフィルタカラーであって、頂部が、使用時に供給容器に取り付けるための結合装置を伴う流入部を有し、この流入部が、カラー内に液密にシールされた１つまたは複数の膜の上に位置している、フィルタカラーと、流入部と膜（複数の場合もある）との間に形成されたギャップと、真空フィルタ装置を囲む周囲の空気の気体を、膜（複数の場合もある）の上流側のギャップおよび流入部と直接流体連通させるように構成された、フィルタカラーの頂部の通路を含むベントと、膜（複数の場合もある）の下に位置する流出部と、膜（複数の場合もある）および流出部を通った濾過液を受領するための、流出部の下に隣接して位置する貯蔵器と、流出部に隣接するカラーの内部からカラーの外部に貫通する孔を有するラインであって、このラインが、膜（複数の場合もある）を通って貯蔵器内に液体を吸引するためのソースに接続されるように適合されている、ラインと、を備えた、真空フィルタ装置。
【請求項２】
真空フィルタ装置を使用する方法であって、
ａ．真空フィルタ装置を提供することであって、真空フィルタ装置が、互いから配置された下方部分と頂部とを有するフィルタカラーであって、頂部が、使用時に供給容器に取り付けるための結合装置を伴う流入部を有し、この流入部が、カラー内に液密にシールされた１つまたは複数の膜の上に位置している、フィルタカラーと、流入部と膜（複数の場合もある）との間に形成されたギャップと、真空フィルタ装置を囲む周囲の空気の気体を、膜（複数の場合もある）の上流側のギャップおよび流入部と直接流体連通させるように構成された、フィルタカラーの頂部の通路を含むベントと、膜（複数の場合もある）の下に位置する流出部と、膜（複数の場合もある）および流出部を通った濾過液を受領するための、流出部の下に隣接して位置する貯蔵器と、流出部に隣接するカラーの内部からカラーの外部に貫通する孔を有するラインであって、このラインが、膜（複数の場合もある）を通って貯蔵器内に液体を吸引するためのソースに接続されるように適合されている、ラインと、を有する、真空フィルタ装置を提供することと、
ｂ．濾過される液体を収容する供給容器を提供することであって、この容器が、開口または流出部を有する、供給容器を提供することと、
ｃ．容器を垂直に上向きに配置し、フィルタ装置を容器の開口の上に逆さにすることと、
ｄ．アセンブリを形成するために、容器の開口をフィルタ装置の流入部に液密な方式で接続することと、
ｅ．容器がここで、フィルタ装置の上に逆さになるように、アセンブリを逆さにすることと、
ｆ．装置内で濾過をさせて、容器の液体を、膜（複数の場合もある）に通し、収集およびさらなる使用のために貯蔵器内に入れるために、駆動源に接続された配管をカラーのラインに取り付け、駆動源を適用することと、
を含む、真空フィルタ装置を使用する方法。
【請求項３】
駆動源が真空である、請求項２に記載の方法。
【請求項４】
駆動源によって空気がベントを通して吸い出され、容器に供給されて、濾過された液体と置換される、請求項２に記載の方法。
【発明の詳細な説明】
【技術分野】
【０００１】
本出願は、２０１６年１０月１７日に出願された、米国仮特許出願第６２／４０９，０３０号の優先権の利益を主張する。この文献は、その全体が、参照により本明細書に組み込まれる。
【０００２】
本明細書に開示の実施形態は、概して、真空フィルタ装置に関し、より詳細には、１つの容器から、膜を通し、別の容器に濾過液を直接入れる、液体を濾過するための、そのような装置に関する。
【背景技術】
【０００３】
多くの実験装置が、実験サンプルの濃縮、分離、および／または浄化のために、濾過を実施するように開発されてきた。研究者は、決まって、他の調査研究の前に、自分のサンプルを濃縮する必要がある。生物学的な溶液を濾過するための装置は、概して、３つの主要な構成要素、すなわち、２つの容器間に介在する膜フィルタと、濾過されるサンプル溶液を保持するための、膜の上流に位置する供給用漏斗と、濾過されたサンプル溶液を収集するための、膜フィルタの下流に位置する濾過液容器と、を伴っている。通常、真空により、膜の下流で吸引され、フィルタの両側での圧力差を生じることにより、濾過の量を増大させる。
【０００４】
いくつかの装置の設計が、供給液を濾過して濾過液容器に入れるために、製造されてきた。これらは、通常、牛胎児血清、組織培養液などの生物学的な溶液を浄化および殺菌するため、ならびに、ＨＰＬＣ緩衝剤の浄化、他の水ベースの緩衝剤および溶液の浄化などの、無菌ではない用途に使用される。
【０００５】
図１は、これら従来の装置の通常の設計を示している。ユーザは、供給液を貯蔵容器から装置１０の上方の漏斗１２に搬送する。漏斗１２は、通常は頂部が開いており、取外し可能な蓋１１で閉じることができる。フィルタカラー１５は、シールされているか、別様に、漏斗１２の開いた底部１４に永続的に取り付けられている。フィルタカラー１５の下方部分は、収集用の貯蔵器または容器１３に取り付けられている。通常、このことは、その底部表面（図示せず）のフィルタカラー１５の流出部から、収集用の貯蔵器または容器１３の内または上に形成された、ネジが形成された流入部（図示せず）に延びるネジ接続によって行われるか、単純に、フィルタカラー１５の流出部を収集用の貯蔵器または容器１３の流入部または開いた頂部の上に配置することによって行われる。そのような装置の１つが、ＥＭＤ  Ｍｉｌｌｉｐｏｒｅ  Ｃｏｒｐｏｒａｔｉｏｎ，Ｂｉｌｌｅｒｉｃａ  Ｍａｓｓａｃｈｕｓｅｔｔｓから市販されている、ＳＴＥＲＩＣＵＰ（Ｒ）システムとして知られている。
【０００６】
これらのような真空濾過システムは、理想的には、細胞培養液、緩衝剤、および試薬の殺菌濾過に適している。この装置は、供給用漏斗のサイズに基づき、０．１５リットルから２リットルの、最大の濾過前容量を扱うことができる。供給および濾過液の貯蔵容器の容量によって定められるように、大容量を、継続的に処理することができる。
【０００７】
今日供給される装置は、濾過カラーに取り付けられた漏斗および蓋を含み、貯蔵器が下に取り付けられた、完結した形態である。アセンブリは、包装されたボトルキャップの状態で袋に入れられ、ガンマ線殺菌などによって殺菌されることで、１回のみ使用されるものとし、使い捨て可能とし、さらに、汚染のリスクを低減している。
【０００８】
それにもかかわらず、記載のタイプの真空フィルタ装置は、これら装置をラボラトリでの使用に不便であるものとする複数の欠点を被っている。まず、これら装置は、液体サンプルを、その通常の実験用容器から、開いた漏斗に移動する必要がある。このことは、液体サンプルをこぼすこと、サンプルがより多くの表面に接触することに繋がる場合がある。これにより、不適切に洗浄されたか、取り扱われた実験器具からの、望ましくない種の非特異的な結合または付加による表面の欠損に繋がる場合がある。さらに、無菌状態の問題を制限するために、移送は、ラミナーフローフードにおいて行われる。ラミナーフローフードは、そのような作業に関し、高さおよび空間が制限されており、移送を困難にし、しばしば面倒にする。やはり、特に、一度の複数のサンプルをしなければならない人、および、１リットル以上の大容量を濾過する人に関し、人間工学的な懸念が存在する。濾過される流体の扱いにおけるユーザの不便さとは別に、この装置の開いた性質に起因して、特定の生物学的な溶液の無菌状態を脅かすリスクが大きくなっている。さらに、これらフィルタアセンブリのサイズが大きいことが、研究所の限られた貯蔵スペースをこれらアセンブリが占める結果となり、また、組み立てられた漏斗／カラー／貯蔵器によって占められる、その大であるサイズ／容量に起因して、輸送スペースおよびコストが増大する。さらに、濾過プロセスにおいて利用される容器が、使い捨てであり、１回のみの使用が意図されていることから、著しい量の固形廃棄物が、これらフィルタアセンブリおよび、関連する、濾過の前後の容器によって、発生する。具体的には、膜がリサイクル可能ではなく、膜を含むカラーと漏斗とがしっかりと、永続的に互いに取り付けられていることから、頂部全体をリサイクルできない。
【０００９】
必要とされているのは、使用が容易であり、操作がより人間工学的であり、貯蔵および輸送の要請が低減され、廃棄可能なハードウェアが最小であり、さらに、生物学的な溶液がこぼれることを防止する、特にラボラトリの環境における、真空濾過のための装置である。特定の他の用途では、濾過された溶液の無菌状態を保つことも重要である。
【発明の概要】
【課題を解決するための手段】
【００１０】
従来技術の問題は、本明細書に開示の実施形態によって克服される。この実施形態は、サンプルを大量に濾過するのに特に有用な装置を提供する。しかし、用途は濾過に限定されない。特定の実施形態では、本装置は、利便性があり、信頼性のある方式で、迅速な高品質のサンプルの分離または精製を提供する。
【００１１】
本発明は、細胞培養液ボトルなどの貯蔵容器に直接取り付ける、漏斗のない濾過装置である。
【００１２】
特定の実施形態では、本装置は、１つまたは複数の膜を含むフィルタカラーと、フィルタ装置を、濾過される液体の供給源に取り付けるための結合装置を伴う流入部であって、好ましくは、結合装置には、カラーの頂部においてネジが切られている、流入部と、カラーの下方部分に位置する流出部と、膜（複数の場合もある）の下のカラーの真空ポートと、膜（複数の場合もある）の上のカラー内の濾過ベントと、を含んでいる。
【００１３】
任意選択的に、本装置は、流出部に、好ましくはネジ接続によって取り付けられた、濾過液貯蔵器を含む場合がある。
【００１４】
任意選択的に、フィルタカラーの上方の開口は、使用されるまで、選択的かつ着脱自在に、蓋でシールされる。次いで、蓋が取り除かれ、細胞培養液ボトルなどの貯蔵容器が、フィルタカラーの上方開口に取り付けられる。
【００１５】
ボトル内のサンプルに真空などの駆動力を加えると、サンプルが濾過要素を通り、フィルタカラーの流出部の下の濾過液貯蔵器内に流れる。
【図面の簡単な説明】
【００１６】
【図１】従来技術に係る装置の斜視図である。
【図２】特定の実施形態に係る、本発明の装置の分解斜視図である。
【図３】図２のカラーの断面図である。
【図４】図２および図３の装置の斜視図である。
【図５Ａ】使用中の装置および液体供給部の配置の斜視図である。
【図５Ｂ】使用中の装置および液体供給部の配置の斜視図である。
【図５Ｃ】使用中の装置および液体供給部の配置の斜視図である。
【図６】本発明のフィルタ装置の流入部とは異なるサイズまたはネジ構成の供給容器のためのアダプタの断面図である。
【図７】図３の代替的実施形態を示す断面図である。
【図８Ａ】スタックされた構成の、本発明のカラーを示す斜視図である。
【図８Ｂ】スタックされた構成の、本発明のカラーを示す断面図である。
【発明を実施するための形態】
【００１７】
最初に図２から図４に移ると、本発明の一実施形態が示されている。図示のように、フィルタ装置１８は、フィルタカラー２４の流入部２２の上に置かれ、着脱自在にシールする、任意選択的に除去可能である保護キャップまたは蓋２０を有している。流入部２２は、雌ネジ部分などの、もっとも上の部分の結合装置２６と、この結合装置２６の下のシーリングリム２８とを有している。シーリングリム２８は、フィルタカラー２４の残りの部分の上方部分に対し、シーリングリム２８によって流入部２２をシールするためのものである。このことは、構成要素２８と２４とをともに熱シールまたは超音波溶接することによって行われる場合がある。結合装置２６は、供給容器２５に選択的に固定することができる。この供給容器２５の固定は、装置の使用中に容器２５内の液体を濾過するためのものである。
【００１８】
カラー２４は、カラー２４の上側表面と、流入部２２のシーリングリム２８との間がシールされる、１つまたは複数の膜３０を有している。膜（複数の場合もある）は、通常、多孔性プレート３１の上で支持されている。膜（複数の場合もある）は、プレート３１またはカラー２４の他の内側表面に接着されるか、溶接されるか、熱接着される場合があり、あるいは、膜（複数の場合もある）は、プレート３１とシーリングリム２８との間に配置された１つまたは複数のガスケットまたはＯリングによって圧縮シールされる場合がある。それにより、流入部２２に入るいずれの液体も、流出部３４を出る前に、膜（複数の場合もある）を通らなければならないようになっている。
【００１９】
濾過液貯蔵器３２は、カラー２４の流出部３４の下に位置している。図３に示す実施形態では、貯蔵器３２（図示せず）は、一連の相互作用するネジ山３６によって流出部３４に取り付けることができる。代替的には、図７に示すように、流出部３４は、ネジが形成されていない部分３５とすることができ、貯蔵器３２（図示せず）として作用するボトルまたは他の容器の流入部の上に単に置くことができる。
【００２０】
流入部２２のシーリングリム２８は、図３に示すように、流入部２２と膜（複数の場合もある）３０との間に空間またはギャップ４０を提供するように、ドーム状の部分３８を有している。ベント４２は、ギャップ内に位置し、装置の外部からギャップ４０内に空気が入るための通路を提供している。ベント４２は、疎水性の多孔性フリットまたは疎水性の膜（図示せず）などのフィルタを有している。このフィルタは、塵またはバクテリアによる外部の汚染のあらゆるリスクを低減するように、装置に入る空気を濾過する。ベント４２により、空気をギャップ４０に入れ、流入部２２を通し、媒体ボトル２５内に流して、使用中に濾過された液体と置換する。
【００２１】
カラー２４は、真空などの、システムのための駆動圧力の発生源のためのライン４４を有している。このラインは、図３に示すように、流出部３４の下かつ外側の位置から、カラーの外部に延びる孔を有している。チューブ（図示せず）は、装置内で作用するように、かつカラー２４を通しての濾過の流れを形成するように、駆動力を通すことを可能にするために、カラー２４の外部のラインの端部に取り付けることができる。
【００２２】
貯蔵器３２は、使用される場合、容量は特に限定されないが、約５００ミリリットルまたは１０００ミリリットルなど、比較的大量のサンプルを保持することができる、概して円筒状の一片の容器である。通常、貯蔵器３２は、カラー２４のネジが切られた流出部と選択的に嵌合する、ネジが切られた開口を有している。特定の実施形態では、貯蔵器３２のためのキャップ（図示せず）を有することが有利である。ユーザはしばしば、一度に数週間の間、貯蔵器３２内に媒体を貯蔵し、濾過された媒体とともに細胞を供給するために、または一連の実験で試薬などの他の液体を使用するために、貯蔵器３２に定期的にアクセスする。そのようなキャップには、しばしば、前の装置が提供されており、当業者にはよく知られている。
【００２３】
特定の実施形態では、貯蔵器３２は、ポリスチレン、ポリカーボネート、ＰＥＴ類の一種（たとえば、ＰＥＴＧ、ＰＥＴＥ）、およびポリオレフィン、特にポリプロピレンなどのプラスチックで製造されているが、（コストおよび真空の強度を考慮しつつ）動作に害のない任意の他の適切な材料で製造される場合もある。いくつかのケースでは、ＨＰＬＣおよび他の用途のための濾過液の貯蔵のために、ガラスの貯蔵器を使用することができる。
【００２４】
膜（複数の場合もある）３０は、微小孔構造の膜、限外濾過用の膜、ナノ濾過用の膜、または逆浸透膜を含むが、これらに限定されない、生物標本の濾過に一般的に使用されている、任意の様々なものである場合がある。好ましくは、微小孔構造の膜、限外濾過用の膜、またはナノ濾過用の膜が使用される。さらにより好ましくは、微小孔構造の膜が使用される。
【００２５】
代表的な、適切な微小孔構造の膜には、セルロース、再生セルロース複合材料、ニトロセルロース、酢酸セルロース、ポリエーテルスルホンおよびポリアリールスルホンを含むポリスルホン、ポリフッ化ビニリデン、超高分子量ポリエチレンなどのポリオレフィン、低密度ポリエチレンおよびポリプロピレン、ナイロンおよび他のポリアミド、ＰＴＦＥ、ポリ（ＴＦＥ−ｃｏ−ＰＦＡＶＥ）などの熱可塑性フッ化ポリマ、ポリカーボネート、または、Ｍｉｎｎｅｓｏｔａ州、Ｍｉｎｎｅａｐｏｌｉｓの３Ｍ社から入手可能なＥＭＰＯＲＥ（Ｒ）膜などの粒子で充填された膜が含まれる。そのような膜は、当該技術分野でよく知られており、Ｍａｓｓａｃｈｕｓｅｔｔｓ州、ＢｉｌｌｅｒｉｃａのＥＭＤ  Ｍｉｌｌｉｐｏｒｅ  Ｃｏｒｐｏｒａｔｉｏｎを含む、様々な供給元から市販されている。所望であれば、それら膜は、親水性とするように処理される場合がある。そのような技術は、よく知られており、限定ではないが、親水性材料またはコーティングを膜の表面に、グラフティング（ｇｒａｆｔｉｎｇ）、架橋結合、または単純に重合させることが含まれる。
【００２６】
代表的な限外濾過膜またはナノ濾過膜には、ポリエーテルスルホンおよびポリアリールスルホンを含むポリスルホン、ポリフッ化ビニリデン、ならびにセルロースが含まれる。これら膜は通常、高度に多孔性の構造で概して形成された支持層を含んでいる。これら支持層のための通常の材料には、スパンボンドした（ｓｐｕｎ  ｂｏｕｎｄｅｄ）ポリエチレンもしくはポリプロピレンなどの不織材料、または、膜自体と同じか異なるポリマで形成されたガラスもしくは微小孔構造材料が含まれる。そのような膜は、当該技術分野でよく知られており、Ｍａｓｓａｃｈｕｓｅｔｔｓ州、ＢｉｌｌｅｒｉｃａのＥＭＤ  Ｍｉｌｌｉｐｏｒｅ  Ｃｏｒｐｏｒａｔｉｏｎなどの、様々な供給元から市販されている。
【００２７】
微小孔構造ではない（たとえば、デプスフィルタ）、不織フィルタなどである、膜構造とともに、グラスファイバまたはマット、セラミックフィルタなどの無機材料の使用も可能である。いくつかの用途では、膜の組合せにより、性能が向上される場合がある。たとえば、特に汚いサンプルに関し、プレフィルタマトリクスとして機能するデプスフィルタを、その下に位置する微小孔構造膜と組み合わせて使用することができる。ＤＮＡおよびＲＮＡなどの核酸を回収するために使用される実施形態では、グラスファイバまたはマットが、単独で、または、その上の１つもしくは複数のプレフィルタ層、および／または、その下の１つもしくは複数の微小孔構造層と組み合わせて使用される場合がある。
【００２８】
カラーおよび流入部を形成するために使用することができる適切なポリマは、限定ではないが、ポリカーボネート、ポリエステル、ナイロン、ＰＴＦＥ樹脂および他のフッ素樹脂、アクリル性およびメタクリル性の樹脂およびコポリマ、ポリスルホン、ポリエーテルスルホン、ポリアリールスルホン、ポリスチレン、ポリ塩化ビニル、塩素処理したポリ塩化ビニル、ＡＢＳならびにその合金および混合物、ポリオレフィン、好ましくは、直鎖状低密度ポリエチレン、低密度ポリエチレン、高密度ポリエチレン、および、超高分子量ポリエチレンなどのポリエチレンとそのコポリマ、ポリプロピレンとそのコポリマ、ならびに、メタロセンが生成されたポリオレフィンが含まれる。
【００２９】
好ましいポリマは、ポリオレフィン、特に、ポリエチレン、ポリプロピレンとそれらのコポリマ、ポリスチレン、アクリル、およびポリカーボネートである。
【００３０】
ベントフィルタは概して、上述の微小孔構造フィルタなどの膜か、好ましくは、Ｆｉｌｔｒｏｎａ  Ｒ＃２１２８３１およびＰｏｒｅｘ＃６９５０のフリットなどの疎水性の、多孔性フリットである。選ばれた任意の膜またはフリットは、空気流を、所望の液体の流れに適合させるように選択されるものとする。通常、これらの装置は、約５００ミリリットル／分の流量である。
【００３１】
フィルタ装置１８の蓋２０は、流入部２２の頂部にわたってヒートシールされたか接着された、プラスチックまたは金属フォイルとすることができる。代替的には、プラスチック、金属、またはゴムで製造された、ネジが切られたプラグであってもよい。このネジは、流入部２２に含まれるネジと同じであり、それにより、輸送または貯蔵の間、流入部２２を選択的に封鎖するようになっている。
【００３２】
ほとんどの供給容器は、容器の開口の外側表面がネジを有するボトルである。通常、これらはＧＬ３８かＧＬ４５の基準のボトルのネジの形式になり、流入部２２のネジは、それら直径の１つであるようにネジの構成に適合させて設計され、それにより、供給容器２５のネジが、流入部２２のネジと適合するとともに嵌合する。他のサイズを使用することができ、本装置は、そのサイズに適合するように製造することができる。代替的には、図６に示すように、流入部２２のネジと嵌合する雄端部１０２と、所望の供給容器２５と嵌合する直径およびネジの構成を有する雌端部１０４とを有するアダプタ１００を供給することができる。
【００３３】
図５Ａから図５Ｃは、使用中のその様々な位置にある装置を示している。
【００３４】
操作時には、Ｓｉｇｍａ−Ａｌｄｒｉｃｈ  Ｃｏ  ＬＬＣまたはＥＭＤ  Ｍｉｌｌｉｐｏｒｅ  Ｃｏｒｐｏｒａｔｉｏｎなどのサプライヤから購入することができる、媒体ボトル２５などの供給容器に濾過されるサンプル溶液が収容されている。容器２５のキャップ（図示せず）は、図５Ａから図５Ｃに示すように、取り除かれている。同様に、使用される場合は、フィルタ装置１８の蓋２０（図示せず）も取り除かれている。
【００３５】
図５Ａに示すように、容器２５および装置１８は、互いに隣り合っている。フィルタ装置１８はこのため、図５Ｂに示すように、容器２５の上になるように持ち上げられ、逆さにされる。フィルタ装置１８は、ネジが形成されているか、別様に、流入部２２により、容器２５の口に液密に取り付けられる。組み立てられた容器２５およびフィルタ装置１８は、次いで反転され、これにより、容器２５がここで逆にされ、フィルタ装置１８上に支持される。容器２５は、ここで、垂直に直立している（図５Ｃ）。
【００３６】
ある長さの配管（図示せず）は、真空ポンプ（図示せず）に接続され、ポート４４に真空が適用され、貯蔵器３２から空気が抜かれ、この貯蔵器３２の内部の圧力がそれに応じて低減される。次いで、処理されていないサンプル溶液が、より高い圧力の容器２５から、流入部２２を通ってカラー２４に入り、膜（複数の場合もある）３０を通される。濾過された溶液は、流出部３４を通って流れ、濾過液として貯蔵器３２内に収集される。駆動力として作用する圧力差を維持するために、大気圧の空気がベント４２を通って入り、膜（複数の場合もある）３０を通るサンプル溶液の容量と置換される。
【００３７】
濾過が完了すると、空の容器２５をフィルタ装置１８から取り除き、リサイクルすることができる。カラー２４は、貯蔵器３２の上に残っている場合があるか、キャップ（図示せず）と置き換えられる場合がある。
【００３８】
本装置は、以前よりも使用が容易であり、構成要素をより多くリサイクルする、濾過装置を提供する。
【００３９】
本装置は、以前の設計よりも約４０％少ないプラスチックを使用する。
【００４０】
同様に、本装置は、濾過前の液体を、容器から漏斗中に注入する必要がないことから、面倒がより少ない濾過の手法を提供する。さらに、液体の注入および濾過の間にフードの下で、１リットルの液体のボトルを持ち上げて、保持する必要がないことから、本装置は、人間工学的に向上している。さらにまた、本装置が閉じたシステムであることから、液体をこぼすか装置を倒すか、または、現在の装置で生じ得る汚染を生じる可能性がない。むしろ、きれいで清潔な、液密な方式で、容器からフィルタ装置に直接供給される。
【００４１】
さらに、漏斗をなくすことにより、より小さい外形を有し、装置が、ラミナーフローフードでの使用、ならびに、貯蔵および輸送が、より容易になる。図８Ａおよび図８Ｂに示す一実施形態では、カラーのみ（２４Ａから２４Ｃ）が、輸送および貯蔵のためのスタックされた構成で貯蔵されている。
【００４２】
さらに、貯蔵器３２が取り付けられた状態で提供される場合、輸送および貯蔵の間、約５０％少ない空間を使用し、カラー２４のみを提供して互いの上にスタックする場合、７０％も少ない空間を使用する。
【００４３】
最後に、カラーのみがリサイクル不可能であることから、リサイクル不可能である材料の量が劇的に低減される。
【図１】
2019530576.tif 000003
【図２】
2019530576.tif 000004
【図３】
2019530576.tif 000005
【図４】
2019530576.tif 000006
【図５Ａ】
2019530576.tif 000007
【図５Ｂ】
2019530576.tif 000008
【図５Ｃ】
2019530576.tif 000009
【図６】
2019530576.tif 000010
【図７】
2019530576.tif 000011
【図８Ａ】
2019530576.tif 000012
【図８Ｂ】
2019530576.tif 000013
【国際調査報告】
2019530576.tif 000014
2019530576.tif 000015